(57)【要約】【課題】  カメラ装置が有する機能を有効に利用して、固定物のみが存在する場合の撮影を回避し、動きがあった場合にのみ自動的に撮影を行うことができるようにする。【解決手段】  当該デジタルカメラを被写体に向けて固定しておく。するとデジタルカメラは、各測距ポイントにおいて被写体までの距離を測定して記録する（Ｓ２０３）。次に、前回測距結果と今回測距結果と比較することにより、各測距ポイントにおける測距変化量を算出する（Ｓ２０４）。また、被写体が動いたか否かの検出を示すテーブルを参照し、該当する検出条件の有無を判定する（Ｓ２０５）。該当条件があった場合には、さらに撮影動作を示すテーブルを参照し、前記Ｓ２０５で判定された検出条件の有無を判定する（Ｓ２０７）。当該検出条件があった場合には対応する撮影動作を取得し（Ｓ２０９）、この取得した動作内容に基づいて撮影を行う（Ｓ２１０）。【選択図】      図６
2006157604.tif 000002
【特許請求の範囲】
【請求項１】
被写体との距離に応じて焦点を自動調整するオートフォーカス手段と、
このオートフォーカス手段による焦点の自動調整動作に基づき、前記被写体との距離の変化を検出する検出手段と、
この検出手段により、前記被写体との距離の変化が検出されたことを条件として、撮影を実行する自動撮影手段と
を備えたことを特徴とするカメラ装置。
【請求項２】
自動撮影モードを選択的に設定するモード設定手段を更に備え、
前記検出手段及び前記自動撮影手段は、前記モード設定手段により前記自動撮影モードが設定されている場合に、前記動作を実行することを特徴とする請求項１又は２記載のカメラ装置。
【請求項３】
前記検出手段は、前記被写体との距離の変化が所定の状態となったか否かを検出し、
前記自動撮影手段は、前記被写体との距離の変化が所定の状態となったことが検出された場合に、前記撮影を実行することを特徴とする請求項１又は２記載のカメラ装置。
【請求項４】
操作により前記所定の状態を任意に設定する変化条件設定手段を更に備えることを特徴とする請求項４記載のカメラ装置。
【請求項５】
前記検出手段は、前記被写体との距離の変化が予め規定された所定量以上の変化であるか否かを検出し、
前記自動撮影手段は、前記所定量以上の変化が検出されたことを条件として、前記撮影を実行することを特徴とする請求項１又は２記載のカメラ装置。
【請求項６】
操作により前記所定量を任意に設定する変化条件設定手段を更に備えることを特徴とする請求項５記載のカメラ装置。
【請求項７】
前記検出手段は、前記距離の変化が所定の短時間未満であった場合、前記被写体との距離の変化と判断しないことを特徴とする請求項１又は２記載のカメラ装置。
【請求項８】
前記自動撮影手段は、前記撮影を実行する際に、前記オートフォーカス手段を制御して焦点を自動調整させることを特徴とする請求項１又は２記載のカメラ装置。
【請求項９】
前記オートフォーカス手段は、複数の測距ポイントを有し、
前記自動撮影手段は、前記複数の測距ポイント毎に前記オートフォーカス手段を制御して焦点を自動調整させ、前記複数の各測距ポイント毎に撮影を実行することを特徴とする請求項１又は２記載のカメラ装置。
【請求項１０】
前記オートフォーカス手段は、複数の測距ポイントを有し、これら複数の測距ポイントにおいて被写体との距離を測定し、
前記検出手段は、このオートフォーカス手段により測定される測距ポイント毎に前記被写体との距離の変化を検出することを特徴とする請求項１又は２記載のカメラ装置。
【請求項１１】
前記オートフォーカス手段は、複数の測距ポイントを有し、
前記検出手段は、前記複数のポイントにおいて少なくとも２つの測距ポイントにおいて距離の変化が検出された場合、距離が変化したと判断し、
前記自動撮影手段は、前記距離が変化したと判断されたことを条件として、前記撮影を実行することを特徴とする請求項１又は２記載のカメラ装置。
【請求項１２】
前記オートフォーカス手段は、フォーカスレンズを移動しながら撮像素子により得られる画像情報に基づき焦点を自動調整するコントラスト方式であることを特徴とする請求項１から１０にいずれか記載のカメラ装置。
【請求項１３】
前記オートフォーカス手段は、被写体までの距離を検出する測距センサからの検出値に基づき、焦点を自動調整する位相差方式であることを特徴とする請求項１から１０にいずれか記載のカメラ装置。
【請求項１４】
被写体との距離を測定し、この測定した距離に応じて焦点を自動調整するオートフォーカス手段を備えるカメラ装置が有するコンピュータを、
前記オートフォーカス手段により測定される前記被写体との距離の変化を検出する検出手段と、
この検出手段により、前記被写体との距離の変化が検出されたことを条件として、撮影を実行させる自動撮影制御手段と
して機能させることを特徴とする自動撮影制御プログラム。
【発明の詳細な説明】
【技術分野】
【０００１】
本発明は、オートフォーカス機能を備えたカメラ装置及びこれに用いられる自動撮影制御プログラムに関する。
【背景技術】
【０００２】
従来、監視カメラあるいは観察カメラと称されるカメラ装置が提案されるにいたっている。このカメラ装置は、所定の範囲内に入ってきた移動体を検出するセンサと、前記所定の範囲内を含みその範囲を超える画角を有する撮影用のレンズと、前記センサの検出信号によって撮影動作するシャッタとを備えている。したがって、前記所定範囲内に固定物のみが存在する場合の撮影を回避して、動く物が存在する場合にのみ自動的に撮影を行うことができ、よって、不必要な画像を撮影せず長期間の連続監視が可能となるとするものである（例えば、特許文献１参照。）。
【特許文献１】特開２００３−１２５３８６
【発明の開示】
【発明が解決しようとする課題】
【０００３】
しかしながら、前述したカメラ装置にあっては、カメラ装置が本来備えているレンズやシャッタ以外に、さらに所定の範囲内に入ってきた移動体を検出するセンサを必要とする。したがって、この所定の範囲内に入ってきた移動体を検出するセンサを必要とすることにより、構造の複雑化や高コスト化を招くのみならず、カメラ装置が本来備えている機能を有効に利用して、動きがあった場合にのみ撮影を行うことができるものではなかった。
【０００４】
本発明は、かかる従来の課題に鑑みてなされたものであり、カメラ装置が有する機能を有効に利用して、固定物のみが存在する場合の撮影を回避し、動きがあった場合にのみ自動的に撮影を行うことのできるカメラ装置及び撮影制御プログラムを提供することを目的とする。
【課題を解決するための手段】
【０００５】
前記課題を解決するため請求項１記載の発明に係るカメラ装置にあっては、被写体との距離に応じて焦点を自動調整するオートフォーカス手段と、このオートフォーカス手段による焦点の自動調整動作に基づき、前記被写体との距離の変化を検出する検出手段と、この検出手段により、前記被写体との距離の変化が検出されたことを条件として、撮影を実行する自動撮影手段とを備えている。
【０００６】
このカメラ装置を用いて自動撮影を行うに際しては、当該カメラ装置を被写体に向けて固定しておく。この状態で、被写体に動き動きが生ずると、被写体とカメラ装置との間の距離が変化することから、オートフォーカスが被写体を合焦させるべく焦点を自動調整する。すると、検出手段が、このオートフォーカスの焦点の自動調整動作に基づき、被写体との距離変化を検出し、自動撮影手段が撮影を実行する。したがって、被写体に動きがある毎に、つまり被写体に変化がある毎に撮影なされ、固定物のみが存在する場合の撮影を回避し、動きがあった場合にのみ撮影を行うことができる。しかも、別途被写体の動きを検出センサを設けることなく、カメラ装置が本来備えているオートフォーカス手段を利用して、被写体の動きを検出することから、カメラ装置が有する機能を有効に利用して、固定物のみが存在する場合の撮影を回避し、動きがあった場合にのみ自動的に撮影を行うことができる。
【０００７】
また、請求項２記載の発明に係るカメラ装置にあっては、自動撮影モードとを選択的に設定するモード設定手段を更に備え、前記検出手段及び前記自動撮影手段は、前記モード設定手段により前記自動撮影モードが設定されている場合に、前記動作を実行する。したがって、自動撮影モードを設定しておくことにより、請求項１記載の発明と同様に動きがあった場合にのみ自動的に撮影を行うことができ、また、自動撮影モードの非設定により、通常のカメラ装置として撮影に用いることができる。
【０００８】
また、請求項３記載の発明に係るカメラ装置にあっては、前記検出手段は、前記被写体との距離の変化が所定の状態となったか否かを検出し、前記自動撮影手段は、前記被写体との距離の変化が所定の状態となったことが検出された場合に、前記撮影を実行する。したがって、被写体との距離の変化が所定の状態となった場合、つまり被写体に所定距離の動きがあった場合にのみ自動的に撮影を行うことができる。
【０００９】
また、請求項４記載の発明に係るカメラ装置にあっては、操作により前記所定の状態を任意に設定する変化条件設定手段を更に備える。これにより、ユーザが前記所定の状態を任意に設定することが可能となり、被写体にユーザが所望する動きがあった場合にのみ撮影することができる。
【００１０】
また、請求項５記載の発明に係るカメラ装置にあっては、前記検出手段は、前記被写体との距離の変化が予め規定された所定量以上の変化であるか否かを検出し、前記自動撮影手段は、前記所定量以上の変化が検出されたことを条件として、前記撮影を実行する。したがって、被写体との距離の変化が所定量以上となった場合、つまり被写体に明確な動きがあった場合にのみ自動的に撮影を行うことができる。
【００１１】
また、請求項６記載の発明に係るカメラ装置にあっては、操作により前記所定量を任意に設定する変化条件設定手段を更に備える。これにより、ユーザが前記所定量を任意に設定することが可能となり、被写体にユーザが所望量の動きがあった場合にのみ撮影することができる。
【００１２】
また、請求項７記載の発明に係るカメラ装置にあっては、前記検出手段は、前記距離の変化が所定の短時間未満であった場合、前記被写体との距離の変化と判断しない。したがって、被写体の動きが微少である場合撮影がなされることがなく、無用な撮影を回避することができる。
【００１３】
また、請求項８記載の発明に係るカメラ装置にあっては、前記自動撮影手段は、前記撮影を実行する際に、前記オートフォーカス手段を制御して焦点を自動調整させる。したがって、合焦した状態で被写体を自動撮影することができる。
【００１４】
また、請求項９記載の発明に係るカメラ装置にあっては、前記オートフォーカス手段は、複数の測距ポイントを有し、前記自動撮影手段は、前記複数の測距ポイント毎に前記オートフォーカス手段を制御して焦点を自動調整させ、前記複数の各測距ポイント毎に撮影を実行する。
【００１５】
また、請求項１０記載の発明に係るカメラ装置にあっては、前記オートフォーカス手段は、複数の測距ポイントを有し、これら複数の測距ポイントにおいて被写体との距離を測定し、前記検出手段は、このオートフォーカス手段により測定される測距ポイント毎に前記被写体との距離の変化を検出する。したがって、オートフォーカス手段により被写体の各部における距離の変化を検出することができることから、被写体に部分的な動きがあった場合にも自動撮影がなされ、所謂観察カメラとして有用となる。
【００１６】
また、請求項１１記載の発明に係るカメラ装置にあっては、前記オートフォーカス手段は、複数の測距ポイントを有し、前記検出手段は、前記複数のポイントにおいて少なくとも２つの測距ポイントにおいて距離の変化が検出された場合、距離が変化したと判断し、前記自動撮影手段は、前記距離が変化したと判断されたことを条件として、前記撮影を実行する。したがって、被写体に部分的な動きがあった場合にも自動撮影がなされる一方、被写体に極めて部分的な微少な動きがあった場合の無駄な撮影が回避される。
【００１７】
また、請求項１２記載の発明に係るカメラ装置にあっては、前記オートフォーカス手段は、フォーカスレンズを移動しながら撮像素子により得られる画像情報に基づき焦点を自動調整するコントラスト方式である。したがって、コントラスト方式からなるオートフォーカス手段の機能を有効利用して、固定物のみが存在する場合の撮影を回避し、動きがあった場合にのみ自動的に撮影を行うことができる。
【００１８】
また、請求項１３記載の発明に係るカメラ装置にあっては、前記オートフォーカス手段は、被写体までの距離を検出する測距センサからの検出値に基づき、焦点を自動調整する位相差方式である。したがって、位相差方式からなるオートフォーカス手段の機能を有効利用して、固定物のみが存在する場合の撮影を回避し、動きがあった場合にのみ自動的に撮影を行うことができる。
【００１９】
また、請求項１４記載の発明に係る自動撮影制御プログラムにあっては、被写体との距離を測定し、この測定した距離に応じて焦点を自動調整するオートフォーカス手段を備えるカメラ装置が有するコンピュータを、前記オートフォーカス手段により測定される前記被写体との距離の変化を検出する検出手段と、この検出手段により、前記被写体との距離の変化が検出されたことを条件として、撮影を実行させる自動撮影制御手段として機能させる。したがって、前記コンピュータがこのプログラムに従って処理を実行することにより、請求項１記載の発明と同様の作用効果を奏する。
【発明の効果】
【００２０】
以上のように、本発明によれば、被写体に動きがある毎に、つまり被写体に変化がある毎に撮影なされ、固定物のみが存在する場合の撮影を回避し、動きがあった場合にのみ撮影を行うことができる。しかも、別途被写体の動きを検出するセンサを設けることなく、カメラ装置が本来備えているオートフォーカス手段を利用して、被写体の動きを検出することから、カメラ装置が有する機能を有効に利用して、固定物のみが存在する場合の撮影を回避し、動きがあった場合にのみ自動的に撮影を行うことができる。
【発明を実施するための最良の形態】
【００２１】
以下、本発明の一実施の形態を図にしたがって説明する。図１は、本発明の一実施の形態に係るデジタルカメラ１のブロック図である。このデジタルカメラ１はＡＦ機能（オートフォーカス機能）を備えたものであって、フォーカスレンズ２、ズームレンズ３、ＣＣＤ４、ＣＤＳ／ＡＤブロック５、ＴＧ（Timing Generator）６、ＣＣＤデータ前処理ブロック７、色処理（ＣＰ）ブロック８、ＪＰＥＧ符号化器９、ＤＲＡＭ１０、内蔵のフラッシュメモリ１１、ＲＡＭ１２、ＣＰＵ１３、画像表示部１４、キーブロック１５、カード・インターフェイス１６、及びモータ駆動ブロック１７を備えており、カード・インターフェイス１６には、図示しないカメラ本体のカードスロットに着脱自在に装着されたメモリカード１８が接続されている。
【００２２】
フォーカスレンズ２及びズームレンズ３はそれぞれが図示しないレンズ群から構成されるものである。モータ駆動ブロック１７は、フォーカスレンズ２を光軸方向に駆動するフォーカスモータ１７０ａ、及びズームレンズ３を光軸方向に駆動するズームモータ１７０ｂと、ＣＰＵ１３から送られる制御信号に従いフォーカスモータ１７０ａ及びズームモータ１７０ｂをそれぞれ駆動するモータドライバ１７１ａ，１７１ｂとから構成されている。なお、フォーカスモータ１７０ａ及びズームモータ１７０ｂは共にステッピングモータである。
【００２３】
ＣＣＤ４は、フォーカスレンズ２とズームレンズ３を介して投影された被写体像を光電変換し撮像信号として出力する。ＴＧ６は、所定周波数のタイミング信号を生成してＣＣＤ４を駆動する。ＣＤＳ／ＡＤブロック５は、ＣＣＤ４からの出力信号をサンプリングしてノイズを除去しデジタル信号に変換する。ＣＣＤデータ前処理ブロック７は、デジタル信号に変換された撮像信号に対し輝度信号処理等のデータ処理を行う。色処理（ＣＰ）ブロック８は、輝度信号処理等が行われた画像信号に対して色分離等の色処理を行い、Ｙ，Ｃｂ，Ｃｒの画像データを生成する。ＤＲＡＭ１０は、色処理後のＹ，Ｃｂ，Ｃｒの画像データを逐次記憶する。
【００２４】
画像表示部１４は、カラーＬＣＤと、それを駆動する駆動回路等からなり、撮影モードが設定された状態でシャッタキーが押されていない撮影待機状態には、ＣＣＤ４から取り込まれＤＲＡＭ１０に蓄積された１フレーム（画面）分の画像データに基づくスルー画像を表示し、再生モードが設定された状態では、メモリカード１８から読み出されるとともに伸張された画像データに基づく記録画像を表示する。
【００２５】
ＪＰＥＧ符号化器９は、画像記録時には、色処理（ＣＰ）ブロック８から入力した画像データをＪＰＥＧ圧縮する。メモリカード１８は、カード・インターフェイス１６を介して送られた圧縮後の画像データを記録する。記録された画像データは、記録画像の再生時に読み出され、ＪＰＥＧ符号化器９により伸張された後、画像表示部１４において表示される。また、キーブロック１５は、撮影モード、自動撮影モード、再生モード、テーブル設定モード等の各種モードの切り替えに使用される切替キーや、シャッタキー、絞りやシャッタ速度を設定するための設定キー、ズーム倍率の変更に使用されるズームキー等の各種の操作キーを含み、キー操作に応じた操作信号をＣＰＵ１３へ送る。また、シャッタキーは、所謂ハーフシャッタ機能を備えたものであり、撮影予告のための半押し操作と、撮影指示用の全押し操作が可能な構成である。
【００２６】
前記フラッシュメモリ１１には、ＣＰＵ１３によるデジタルカメラ１の制御、すなわちＡＦ制御、ＡＥ制御、ＡＷＢ制御等に必要なプログラムと各種データが格納されており、ＣＰＵ１３は、キーブロック１５からの操作信号と前記プログラムに従いＲＡＭ１２を作業用メモリとして動作することにより、本発明における検出手段、自動撮影手段等として機能する。
【００２７】
なお、図２（ａ）において、Ｐはこのデジタルカメラ１により撮影される撮影領域を示し、前記ＡＦ制御は、フォーカスレンズ２を光軸方向に移動させながら、撮影領域Ｐ内に設定された測距ポイントＡ、Ｂ、Ｃ、Ｄ、Ｅにおいて、撮像した画像ののＡＦ評価値（コントラスト値）を検出し、ＡＦ評価値のピーク位置を合焦位置とするコントラスト検出方式である。また、前述のようにフォーカスモータ１７０ａは、ステッピングモータであることから、ＣＰＵ１３はドライバ１７１ａが出力するパルスと予めフラッシュメモリ１１に格納されている距離テーブルを参照することにより、前記測距ポイントＡ、Ｂ、Ｃ、Ｄ、Ｅにおける被写体までの距離を検出することが可能である。これら画像の測距ポイントＡ、Ｂ、Ｃ、Ｄ、Ｅは、撮影モードにおいて前記スルー画像とともに画像表示部１４に表示される。
【００２８】
前記ＲＡＭ１２には、図３に示す検出条件設定テーブル１２１と、図４に示す撮影動作設定テーブル１２２とが設けられている。検出条件設定テーブル１２１には、このデジタルカメラ１と被写体との距離が変化したと判断して自動撮影すべき複数の検出条件がシリアルな検出条件番号「１」「２」「３」・・・に対応して記憶され、これら複数の検出条件は後述する後述するテーブル設定処理においてユーザにより設定される。つまり、図３の設定例において、検出条件番号「１」は、「測距ポイントＡ（図２参照）において、２ｃｍ以上の距離変化を検出した。」ことが自動撮影を実行すべき条件であることを意味し、検出条件番号「８」は、「１、２、３の検出条件のうち、少なくとも２つの条件を満たした。」ことが自動撮影を実行すべき条件であることを意味する。
【００２９】
撮影動作設定テーブル１２２には、前記検出条件設定テーブル１２１から選択された検出条件番号（本例では「４」「６」「９」・・・）に対応して、撮影動作の内容が記憶され、この撮影動作内容は前記検出条件とともに、後述するテーブル設定処理においてユーザにより設定される。つまり、図４の設定例は、検出条件番号「４」の検出条件が発生した場合「全測距ポイントのうちで最も検出距離の近い測距ポイントに焦点を合わせて静止画を１枚撮影」することを意味し、また検出条件番号「６」の検出条件が発生した場合「３秒間隔で５枚の静止画撮影を行う。」ことを意味し、また検出条件番号「９」の検出条件が発生した場合「検出中は、動画撮影を行う。」ことを意味する。
【００３０】
また、検出条件番号「６」についてさらに詳細に説明すると、この検出条件番号「６」は、図３に示すように、「測距ポイントＡにおいて、５０ｃｍ内から５０ｃｍ外へ距離変化を検出した。」が内容であるから、「測距ポイントＡにおいて、５０ｃｍ内から５０ｃｍ外へ距離変化を検出した。」ことを条件に「３秒間隔で５枚の静止画撮影を行う。」ことを意味することになる。
【００３１】
次に、以上の構成からなるデジタルカメラ１の本発明に係る動作を説明する。図５は、テーブル設定モードにおいてＣＰＵ１３が実行する処理内容を示したフローチャートである。すなわち、テーブル設定モードが設定されると、ＣＰＵ１３は前記プログラムに従って処理を開始し、ユーザの操作によるキーブロック１５からの操作信号に基づき、検出条件を入力させ（ステップＳ１０１）、この入力させた検出条件を前記検出条件番号に対応させて検出条件設定テーブル１２１に記憶させる（ステップＳ１０２）。したがって、このステップＳ１０１及びＳ１０２の処理が複数回実行されることにより、図３に示したように、検出条件設定テーブル１２１には異なる検出条件番号に対応して異なる検出条件が記憶されることとなる。
【００３２】
引き続き、ユーザの操作によるキーブロック１５からの操作信号に基づき、撮影動作を入力させ（ステップＳ１０３）、さらに予め検出条件設定テーブル１２１に記憶されている検出条件（検出条件番号）を選択する（ステップＳ１０４）。さらに、これら入力された撮影動作と選択された検出条件番号とを対応させて撮影動作設定テーブル１２２に記憶させる（ステップＳ１０５）。したがって、このステップＳ１０３〜Ｓ１０５の処理が複数回実行されることにより、図４に示したように、撮影動作設定テーブル１２２には選択された異なる検出条件番号に対応して撮影動作が記憶されることとなる。なお、異なる検出条件に対応して同一の撮影動作を設定することも可能である。
【００３３】
図６は、撮影モードにおいてＣＰＵ１３が実行する処理内容を示したフローチャートである。すなわち、撮影モードが設定されると、ＣＰＵ１３は前記プログラムに従って処理を開始し、自動撮影モードが設定されているか否かを判断する。（ステップＳ２０１）。自動撮影モードが設定されていない場合には、通常撮影処理を実行する（ステップＳ２０２）。つまり、シャッタが全押しされたか否かを判断し、全押しされたならば、撮像した画像を符号化し画像データとしてメモリカード１８に記録する。
【００３４】
一方、ユーザはこのデジタルカメラ１を用いて自動撮影を行うに際しては、当該デジタルカメラ１を被写体に向けて固定しておく。そして、ステップＳ２０１での判断の結果、自動撮影モードが設定されている場合には、各測距ポイントにおいて被写体までの距離を測定して記録する（ステップＳ２０３）。すなわち、図２（ａ）に示したように、本実施の形態における測距ポイントはＡ〜Ｅである。したがって、同図（ｂ）に示すように、先ず測距ポイントＡにおけるＡＦ評価値のピーク位置を合焦位置とし、この合焦位置において前述したように、ドライバ１７１ａが出力するパルスと予めフラッシュメモリ１１に格納されている距離テーブルを参照することにより、測距ポイントＡにおける被写体までの距離を検出する。さらに、同様にして測距ポイントＢ，Ｃ，Ｄ，ＥについてもＡＦ評価値のピーク位置を合焦位置とし、測距ポイントＢ，Ｃ，Ｄ，Ｅにおける被写体までの距離を検出する。そして、これら検出した測距ポイントＢ，Ｃ，Ｄ，Ｅにおける被写体までの距離をＲＡＭ１２の所定エリアに記憶させる。したがって、このステップＳ２０３の処理が前回行われたことにより、ＲＡＭ１２には、図２（ｂ）に示したように、測距ポイントＡ〜Ｅ毎に前回測定結果（前回の被写体までの距離）が記憶されている。また、このステップＳ２０３の処理が今回行われたことにより、ＲＡＭ１２には、図２（ｃ）に示したように、測距ポイントＡ〜Ｅ毎に今回測定結果（今回の被写体までの距離）が記憶されることとなる。
【００３５】
そこで、次のステップＳ２０４においては、図２の（ｂ）前回測距結果と（ｃ）今回測距結果と比較することにより、各測距ポイントＡ〜Ｅにおける距離変化量を算出する（ステップＳ２０４）。ここで、図２（ｂ）（ｃ）の例においては、測距ポイントＤを除く他の測距ポイントは前回との距離変化はなく、よって距離変化量として、
測距ポイントＡ＝０
測距ポイントＢ＝０
測距ポイントＣ＝０
測距ポイントＤ＝＋３０ｃｍ
測距ポイントＥ＝０
が算出されることとなり、測距ポイントＤの距離変化量が「＋３０ｃｍ」として検出されることとなる。
【００３６】
次に、検出条件設定テーブル１２１を参照し、該当する検出条件の有無を判定する（ステップＳ２０５）。このとき、図３に示した例では、検出条件設定テーブル１２１の検出条件番号「４」に「測距ポイントＤにおいて２０ｃｍ以上の距離変化を検出した。」という検出条件があり、今回測距ポイントＤの距離変化「＋３０ｃｍ」が検出されことから、該当する検出条件があることとなる。よって、ステップＳ２０６の判断はＹＥＳとなることからステップＳ２０７に進み、撮影動作設定テーブル１２２を参照し、前記ステップＳ２０５で判定された検出条件の有無を判定する（ステップＳ２０７）。このとき、図４に示した例では、撮影動作設定テーブル１２２の検出条件番号「４」が記憶されていることから、該当する検出条件があることとなる。よって、ステップＳ２０８の判断はＹＥＳとなり、ステップＳ２０９に進み、対応する撮影動作を取得する（ステップＳ２０９）。したがって、図４に示す本例においては、検出条件番号「４」に対応して、「全測距ポイントのうちで最も検出距離の近い測距ポイントに焦点を合わせて静止画を１枚撮影」なる撮影動作が記憶されていることから、この撮影動作が取得されることとなる。
【００３７】
次に、この取得した動作内容に基づいて撮影を行う（ステップＳ２１０）。つまり、本例の場合、「全測距ポイントのうちで最も検出距離の近い測距ポイントに焦点を合わせて静止画を１枚撮影」して、画像を符号化し画像データとしてメモリカード１８に記録する。このとき、図２（ｂ）（ｃ）に示したように、全測距ポイントＡ〜Ｅのうちで最も検出距離の近い測距ポイントは、検出距離１０ｃｍの測距ポイントＥであることから、フォーカスレンズ２を駆動させて測距ポイントＥに合焦させた状態で、静止画が１枚撮影されてメモリカード１８に記録されることとなる。
【００３８】
そして、このステップＳ２１０の処理を実行した後、あるいはステップＳ２０６又はステップＳ２０８の判断がＮＯであった場合には、ステップＳ２０１からの処理を繰り返し、自動撮影モードが継続して設定されている状態にあると、前述したステップＳ２０３〜Ｓ２１０の処理が繰り返し実行されることとなる。
【００３９】
なお、本実施の形態においては、検出条件設定テーブル１２１に設定された検出条件が発生したことを自動撮影の実行条件としたが、単に被写体との距離の変化したことを条件として、自動撮影を実行するようにしてもよい。また、撮影動作設定テーブル１２２に記憶された撮影動作内容で撮影を行うようにしたが、一義的に静止画を一枚撮影するのみであってもよい。また、図３の検出条件設定テーブル１２１に、距離の変化が所定の短時間未満であった場合、被写体との距離の変化と判断しないこと検出条件として設定することもできる。また、本実施の形態にいおいては、複数の測距ポイントを設けるようにしたが、単一の測距ポイントを設けるようにしてもよい。また、本実施の形態においては、検出条件設定テーブル１２１と撮影動作設定テーブル１２２の記憶内容をユーザが設定することとしたが、デジタルカメラ１のメーカー側においてこれらを予め設定しておくようにしてもよい。また、本実施の形態においては、コントラスト方式のデジタルカメラ１に本発明を適用するようにしたが、測距センサからの検出値に基づき、焦点を自動調整する位相差方式のデジタルカメラに適用し得ることは勿論である。
【図面の簡単な説明】
【００４０】
【図１】本発明の一実施の形態に係るデジタルカメラのブロック図である。
【図２】（ａ）は測距ポイントを示す図、（ｂ）は前回測定結果、（ｃ）は今回測定結果を各々示す図である。
【図３】検出条件設定テーブルを示す模式図である。
【図４】撮影動作設定テーブルを示す模式図である。
【図５】テーブル設定処理の処理内容を示すフローチャートである。
【図６】撮影処理の処理内容を示すフローチャートである。
【符号の説明】
【００４１】
１    デジタルカメラ
２    フォーカスレンズ
４    ＣＣＤ
６    ＴＧ
８    ブロック
９    ＪＰＥＧ符号化器
１１    フラッシュメモリ
１２    ＲＡＭ
１３    ＣＰＵ
１４    画像表示部
１５    キーブロック
１６    インターフェイス
１７    モータ駆動ブロック
１８    メモリカード
１２１    検出条件設定テーブル
１２２    撮影動作設定テーブル
１７０ａ    フォーカスモータ
１７１ａ    モータドライバ
Ａ〜Ｅ    測距ポイント
【図１】
2006157604.tif 000003
【図２】
2006157604.tif 000004
【図３】
2006157604.tif 000005
【図４】
2006157604.tif 000006
【図５】
2006157604.tif 000007
【図６】
2006157604.tif 000008